(57)【要約】【課題】ネットワーク通信機器におけるＬＡＮと電話回線の接続部を統合する。【解決手段】ＬＡＮ及び電話回線モジュラープラグを同じ挿入部で受けるコネクション手段１と、モジュラープラグの挿入位置を確定させる固定手段２と、モジュラープラグをそれぞれのコンタクト部まで誘導するガイドレール部３と、ＬＡＮ信号の送受信をコントロールするＬＡＮコントローラー部６と、電話信号をアナログまたはデジタルに変換して送受信可能とするＭＯＤＥＭ部７と、電話信号とＬＡＮ信号のデータ処理を行うＣＰＵ部８を構成することにより、ＬＡＮと電話回線の挿入口を共有しデータ処理部は従来の通り別々に設ける手段をとる。【選択図】  図１
2005027070.tif 000002
【特許請求の範囲】
【請求項１】
ＬＡＮ及び電話回線に接続可能な機能をもつ機器であって、ＬＡＮ接続モジュラープラグ及び電話回線接続モジュラープラグを同じ挿入部で受け胴体のシールドがアースに接続する構造を持ったコネクション手段１と、前記ＬＡＮモジュラープラグまたは前記電話回線モジュラープラグの挿入時に位置を確定させる固定手段と、前記ＬＡＮモジュラープラグまたは前記電話回線モジュラープラグをそれぞれのコンタクト部まで誘導するガイドレール部と、ＬＡＮ信号の送受信をコントロールするＬＡＮコントローラー部と、電話信号をアナログまたはデジタルに変換して送受信可能とするＭＯＤＥＭ部と、前記電話信号と前記ＬＡＮ信号のデータ処理を行うＣＰＵ部から成る、ＬＡＮ及び電話回線のコネクション手段を共有したネットワーク通信機器。
【請求項２】
前記コネクション手段１にＬＡＮまたは電話回線モジュラープラグが挿入されたことを検出する検出手段１を搭載したコネクション手段２を有し、前記コネクション手段２にＬＡＮが接続された時に受信されるリンクパルスの有無で現在挿入されているモジュラープラグがＬＡＮか電話回線かを判別できる請求項１に記載のネットワーク通信機器。
【請求項３】
前記コネクション手段２に、ＬＡＮモジュラープラグしか接触しない位置に配された検出手段２を搭載したコネクション手段３を有し、前記コネクション手段３に接続されたモジュラープラグが前記検出手段３の状態によりＬＡＮか電話回線かを判別できる請求項２に記載のネットワーク通信機器。
【発明の詳細な説明】
【０００１】
【発明の属する技術分野】
本発明は、ＡＤＳＬなどのＬＡＮ接続と、ダイヤルアップや課金システムなど、電話回線接続を必要とするネットワーク通信機器に関するものである。
【０００２】
【従来の技術】
インターネットに接続するパーソナルコンピューターなどの機器では、ユーザーの都合に応じて電話回線かＬＡＮで接続できるように２種類の挿入部が設けられていることが多い。また地上波デジタル放送では、電話回線かＬＡＮへの接続が可能になるようなテレビジョン受信機が求められ、また、どちらへも接続可能になる機器が多くなってくると考えられる。
【０００３】
このような電話回線とＬＡＮをどちらも接続可能にするための技術として、汎モジュラージャックを通して、何の信号が入ってきたか判別し、それにあったプロトコルに変換してＣＰＵと接続する方法も考えられている（例えば、特許文献１参照）。
【０００４】
【特許文献１】
特開平０９−５４７４０号公報
【０００５】
【発明が解決しようとする課題】
従来の機器ではＬＡＮと電話回線のコネクション手段を別々に設けており、コストやスペース的にもデメリットとなっていた。またそれを解決するための上記特許文献１の技術では、新しいデバイスや困難なシステムの構築を必要とされている。
【０００６】
本発明では、コネクション手段に工夫を加えることで従来の技術だけで簡単に課題を解決できる装置を提案する。
【０００７】
【課題を解決するための手段】
この課題を達成するために本発明のネットワーク通信機器は、ＬＡＮモジュラープラグ及び電話回線モジュラープラグを同じ挿入部で受けるコネクション手段と、ＬＡＮモジュラープラグまたは電話回線モジュラープラグの挿入時に位置を確定させる固定手段と、ＬＡＮモジュラープラグまたは電話回線モジュラープラグをそれぞれのコンタクト部まで誘導するガイドレール部と、ＬＡＮ信号の送受信をコントロールするＬＡＮコントローラー部と、電話信号をアナログまたはデジタルに変換して送受信可能とするＭＯＤＥＭ部と、電話信号とＬＡＮ信号のデータ処理を行うＣＰＵ部とを構成され、ＬＡＮと電話回線の挿入口を共有し、データ処理部は従来の通り別々に設ける手段をとるものである。
【０００８】
【発明の実施の形態】
本発明のネットワーク通信機器は、ＬＡＮ接続モジュラープラグ及び電話回線接続モジュラープラグを同じ挿入部で受け胴体のシールドがアースに接続する構造を持ったコネクション手段１と、ＬＡＮモジュラープラグまたは電話回線モジュラープラグの挿入時に位置を確定させる固定手段と、ＬＡＮモジュラープラグまたは電話回線モジュラープラグをそれぞれのコンタクト部まで誘導するガイドレール部と、ＬＡＮ信号の送受信をコントロールするＬＡＮコントローラー部と、電話信号をアナログまたはデジタルに変換して送受信可能とするＭＯＤＥＭ部と、電話信号とＬＡＮ信号のデータ処理を行うＣＰＵ部から成る。
【０００９】
ＬＡＮと電話回線のコンタクト部はそれぞれ違うピンを使用しているためコネクション手段内部の固定手段とガイドレール部により確実にセンター位置を決めることによって、同じコネクタでＬＡＮと電話回線それぞれ使用するコンタクト部を別々に使い分けることが可能となる。このコネクタにＬＡＮあるいは電話回線モジュラープラグが挿された時、それぞれのインターフェイス部であるＭＯＤＥＭ部あるいはＬＡＮコントローラー部でデータ処理され、ＣＰＵと送受信される。全体の構成として、ＬＡＮと電話回線の経路は全く独立しているため切替回路などの必要がない。
【００１０】
また本発明のネットワーク通信機器は、コネクション手段１にＬＡＮまたは電話回線モジュラープラグが挿入されたことを検出する検出手段１を搭載したコネクション手段２を有し、モジュラープラグが挿入されたことを物理的に検出を行う。これにより、ＣＰＵは現在どちらのモジュラープラグが接続されているか認識することが出来、さらにＬＡＮモジュラープラグであった場合接続時に常に送信されてくるリンクパルスを受けているか否かで、現在接続部に挿入されているのがＬＡＮであるか電話回線であるか判別できる作用を有する。
【００１１】
またネットワーク通信機器は、前記コネクション手段２に、ＬＡＮモジュラープラグしか接触しない位置に配された検出手段２を搭載したコネクション手段３を有する。ＬＡＮモジュラープラグと電話回線モジュラープラグの幅方向の寸法が異なることから、コネクション手段３に完全に挿入された状態のときＬＡＮモジュラープラグでのみ接触するスペースが存在することになる。この箇所に接触の有無を検出する検出手段２を置くことにより、接続されたモジュラープラグがＬＡＮか電話回線かを判別できる作用を有する。
【００１２】
（実施の形態１）
図面を用いて本発明のネットワーク通信機器の具体的な構成例を説明する。
【００１３】
図１はネットワーク通信機器の構成を示す上面断面図であり、１はＬＡＮ及び電話回線のモジュラープラグを挿入するコネクション手段で、胴体のシールド部は基板のアース部（図示せず）に接続されている。２の固定手段は幅の異なるＬＡＮと電話回線のモジュラープラグどちらの挿入時でもセンター位置を確定できるように調整をされたバネ構造を持った固定手段で、３はそれぞれのモジュラープラグのコンタクト部をコネクション部のコンタクト部４またはコンタクト部５まで誘導するガイドレール部で、４は電話回線モジュラープラグの信号がつながるコンタクト部で、５はＬＡＮモジュラープラグの信号がつながるコンタクト部で、固定手段２とガイドレール部３により電話回線モジュラープラグは４へ、ＬＡＮモジュラープラグは５へ確実に接続される。
【００１４】
６はＬＡＮコントローラー部で、回線状況の監視や、ＣＰＵ８とのインターフェイスの役割りを行う。７はＭＯＤＥＭ部で、Ａ／Ｄ変換またはＤ／Ａ変換などを行い、ＣＰＵ８とのインターフェイスの役割りを行う。８はＣＰＵで、送受信されるＬＡＮやＭＯＤＥＭ信号を処理する中央制御部である。
【００１５】
このように本実施の形態のネットワーク通信機器では、コネクション手段１でモジュラープラグの位置確定が確実に行われるため、ＬＡＮとＭＯＤＥＭにつながる信号はそれぞれの独立性を維持し、ＣＰＵ側ではコネクション部が統合されたことを意識せず従来と同じ構成で使用することが出来る。
【００１６】
（実施の形態２）
図２において、（実施の形態１）で示した図１の構成に、第１の検出手段１１を加えたもので、この第１の検出手段１１はＣＰＵ８に接続されている。モジュラープラグが挿入された時にメカ的にスイッチがアースに接続されることにより、８のＣＰＵは１のコネクション手段にモジュラープラグが挿入されているか否かを認識することが出来る。
【００１７】
また接続されているものがＬＡＮモジュラープラグであったとき、接続するだけで送信されるリンクパルスを受けるため、このリンクパルスが来ているか否かで接続されているモジュラープラグがＬＡＮか電話回線かを判別できる。
【００１８】
（実施の形態３）
図３において、（実施の形態２）で示した図１の構成に、さらに第２の検出手段１２を加えたもので、この第２の検出手段１２はＣＰＵ８に接続されている。
【００１９】
９の電話回線モジュラープラグと１０のＬＡＮモジュラープラグでは図３に示すように、横幅が違っており、第２の検出手段１２の位置に電話回線モジュラープラグ９が接触することはないため、ＬＡＮモジュラープラグ１０でのみスイッチングが行われる。
【００２０】
この構成により、コネクション手段１にどちらのモジュラージャックが挿入されているかの状態をＣＰＵ８が認識することが出来る。
【００２１】
【発明の効果】
以上のように説明した本発明によれば、通信の接続箇所を１つに共有させることで接続箇所の省スペース化、コストダウンが見込まれ、さらに大きなシステムの変更をすることなく実現可能にする効果がある。
【００２２】
またＬＡＮと電話回線２つのモジュラージャックがあることにより、ユーザーの誤挿入が考えられるが、入り口を統合することでそれがなくなる。またコネクション手段に検出手段を備えることでＣＰＵに接続の状態を判別させうる効果がある。
【図面の簡単な説明】
【図１】本発明の第１の実施形態に係るネットワーク通信機器の構成を示す図
【図２】本発明の第２の実施形態に係るネットワーク通信機器の構成を示す図
【図３】本発明の第３の実施形態に係るネットワーク通信機器の構成を示す図
【符号の説明】
１  コネクション手段
２  固定手段
３  ガイドレール部
４  電話回線モジュラープラグ用コンタクト
５  ＬＡＮモジュラープラグ用コンタクト
６  ＬＡＮコントローラー部
７  ＭＯＤＥＭ部
８  ＣＰＵ部
９  電話回線モジュラープラグ
１０  ＬＡＮモジュラープラグ
１１  検出手段１
１２  検出手段２
【図１】
2005027070.tif 000003
【図２】
2005027070.tif 000004
【図３】
2005027070.tif 000005